【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
着信した発信元である着信電話番号を含む着信履歴データ及び発信した発信先である発信電話番号を含む発信履歴データを記憶する携帯電話機と無線接続されることで、ハンズフリー通話を可能とさせる車載ハンズフリー装置であって、
前記携帯電話機に記憶されている前記着信履歴データ及び前記発信履歴データの転送を実現するための転送プロトコルでの通信を実行する転送プロトコル制御手段と、
前記転送プロトコルでの通信にて、前記携帯電話機から、前記携帯電話機と接続される前に前記携帯電話機内に記憶されている前記着信履歴データ及び前記発信履歴データを受信する通信手段と、
発信履歴データ及び着信履歴データを纏めて表示する全履歴データの表示要求があった場合に、発信履歴データ及び着信履歴データを纏めて表示手段に表示させる表示制御手段と、
を備え、
前記表示制御手段による前記表示手段での前記全履歴データの表示において、前記転送プロトコルでの通信にて受信した前記発信履歴データのうち発信電話番号が重複しているものについては最新の発信履歴データのみが前記表示手段に表示されることを特徴とする車載ハンズフリー装置。
【請求項２】
請求項１に記載の車載ハンズフリー装置において、
前記携帯電話機によるハンズフリー通話を実現するためのハンズフリープロトコルでの通信を接続するハンズフリープロトコル制御手段と、
前記ハンズフリープロトコルでの通信にて前記携帯電話機に対して発信先である発信電話番号への発信の指示を行う操作手段と、
前記ハンズフリープロトコルでの通信にて前記携帯電話機に対する発信の指示が行われると、当該発信の発信先である発信電話番号を含む発信履歴データである自己発信履歴データを記憶手段に記憶する制御手段と、
をさらに備え、
前記転送プロトコルでの通信にて前記携帯電話機から前記着信履歴データ及び前記発信履歴データを受信した後に前記自己発信履歴データが前記制御手段により記憶された場合において、前記全履歴データの表示要求があったときは、
前記表示制御手段による前記表示手段での前記全履歴データの表示において、
前記転送プロトコルでの通信にて受信した発信履歴データと、前記ハンズフリープロトコルでの通信にて指示された発信の発信履歴データである自己発信履歴データと、からなる発信履歴データのうち発信電話番号が重複しているものについては最新の発信履歴データのみが前記表示手段に表示されることを特徴とする車載ハンズフリー装置。
【請求項３】
携帯電話機と無線接続されることで、ハンズフリー通話を可能とさせる車載ハンズフリー装置であって、
前記携帯電話機によるハンズフリー通話を実現するためのハンズフリープロトコルでの通信を接続するハンズフリープロトコル制御手段と、
前記ハンズフリープロトコルでの通信にて前記携帯電話機に対して発信先である発信電話番号への発信の指示をユーザが行うための操作手段と、
前記ハンズフリープロトコルが接続されている状態において前記携帯電話機に対して着信があったときに前記ハンズフリープロトコルでの通信で通知された発信元の着信電話番号を受信する受信手段と、
前記ハンズフリープロトコルでの通信にて前記携帯電話機に対する発信の指示が行われると、当該発信の発信先である発信電話番号を含む発信履歴データである自己発信履歴データを記憶手段に記憶し、前記ハンズフリープロトコルでの通信にて通知された発信元の着信電話番号を受信すると、当該着信電話番号を含む着信履歴データである自己着信履歴データを前記記憶手段に記憶する制御手段と、
発信履歴データ及び着信履歴データを纏めて表示手段に表示する全履歴データの表示要求があった場合、発信履歴データ及び着信履歴データを纏めて表示手段に表示させる表示制御手段と、
を備え、
前記表示制御手段による前記表示手段での全履歴データの表示において、前記ハンズフリープロトコルでの通信にて前記携帯電話機に対して指示された複数の前記発信のうち発信電話番号が重複しているものについては最新の発信履歴データのみが前記表示手段に表示されることを特徴とする車載ハンズフリー装置。
【請求項４】
請求項１ないし３の何れか一項に記載の車載ハンズフリー装置において、
前記携帯電話機から、電話番号と登録名とを対応付けた電話帳データを受信する通信手段をさらに備え、
前記表示制御手段は、前記全履歴データの表示において、発信電話番号または着信電話番号が前記電話帳に登録されている場合には、対応する登録名を表示させる一方で、前記電話帳に登録されていない場合には、当該発信電話番号または着信電話番号を表示させることを特徴とする車載ハンズフリー装置。
【手続補正２】
【補正対象書類名】明細書
【補正対象項目名】０００７
【補正方法】変更
【補正の内容】
【０００７】
請求項１に記載の発明は、着信した発信元である着信電話番号を含む着信履歴データ及び発信した発信先である発信電話番号を含む発信履歴データを記憶した携帯電話機と無線接続されることで、ハンズフリー通話を可能とさせる車載ハンズフリー装置であって、前記携帯電話機に記憶されている前記着信履歴データ及び前記発信履歴データの転送を実現するための転送プロトコルでの通信を実行する転送プロトコル制御手段と、前記転送プロトコルでの通信にて、前記携帯電話機から、前記携帯電話機と接続される前に前記携帯電話機内に記憶されている前記着信履歴データ及び前記発信履歴データを受信する通信手段と、発信履歴データ及び着信履歴データを纏めて表示する全履歴データの表示要求があった場合に、発信履歴データ及び着信履歴データを纏めて表示手段に表示させる表示制御手段と、を備え、前記表示制御手段による前記表示手段での前記全履歴データの表示において、前記転送プロトコルでの通信にて受信した前記発信履歴データのうち発信電話番号が重複しているものについては最新の発信履歴データのみが前記表示手段に表示されることを特徴とするものである。
請求項２に記載の発明は、請求項１に記載の車載ハンズフリー装置において、前記携帯電話機によるハンズフリー通話を実現するためのハンズフリープロトコルでの通信を接続するハンズフリープロトコル制御手段と、前記ハンズフリープロトコルでの通信にて前記携帯電話機に対して発信先である発信電話番号への発信の指示を行う操作手段と、前記ハンズフリープロトコルでの通信にて前記携帯電話機に対する発信の指示が行われると、当該発信の発信先である発信電話番号を含む発信履歴データである自己発信履歴データを記憶手段に記憶する制御手段と、をさらに備え、前記転送プロトコルでの通信にて前記携帯電話機から前記着信履歴データ及び前記発信履歴データを受信した後に前記自己着信履歴データ及び前記自己発信履歴データが前記制御手段により記憶された場合において、前記全履歴データの表示要求があったときは、前記表示制御手段による前記表示手段での前記全履歴データの表示において、前記転送プロトコルでの通信にて受信した発信履歴データと、前記ハンズフリープロトコルでの通信にて指示された発信の発信履歴データである自己発信履歴データと、からなる発信履歴データのうち発信電話番号が重複しているものについては最新の発信履歴データのみが前記表示手段に表示されることを特徴とするものである。
請求項３に記載の発明は、携帯電話機と無線接続されることで、ハンズフリー通話を可能とさせる車載ハンズフリー装置であって、前記携帯電話機によるハンズフリー通話を実現するためのハンズフリープロトコルでの通信を接続するハンズフリープロトコル制御手段と、前記ハンズフリープロトコルでの通信にて前記携帯電話機に対して発信先である発信電話番号への発信の指示を行う操作手段と、前記ハンズフリープロトコルが接続されている状態において前記携帯電話機に対して着信があったときに前記ハンズフリープロトコルでの通信で通知された発信元の着信電話番号を受信する受信手段と、前記ハンズフリープロトコルでの通信にて前記携帯電話機に対する発信の指示が行われると、当該発信の発信先である発信電話番号を含む発信履歴データである自己発信履歴データを記憶手段に記憶し、前記ハンズフリープロトコルでの通信にて通知された発信元の着信電話番号を受信すると、当該着信電話番号を含む着信履歴データである自己着信履歴データを前記記憶手段に記憶する制御手段と、発信履歴データ及び着信履歴データを纏めて表示手段に表示する全履歴データの表示要求があった場合、発信履歴データ及び着信履歴データを纏めて表示手段に表示させる表示制御手段と、を備え、前記表示制御手段による前記表示手段での全履歴データの表示において、前記ハンズフリープロトコルでの通信にて前記携帯電話機に対して指示された複数の前記発信のうち発信電話番号が重複しているものについては最新の発信履歴データのみが前記表示手段に表示されることを特徴とするものである。
請求項４に記載の発明は、請求項１ないし３の何れか一項に記載の車載ハンズフリー装置において、前記携帯電話機から、電話番号と登録名とを対応付けた電話帳データを受信する通信手段をさらに備え、  前記表示制御手段は、前記全履歴データの表示において、発信電話番号または着信電話番号が前記電話帳に登録されている場合には、対応する登録名を表示させる一方で、前記電話帳に登録されていない場合には、当該発信電話番号または着信電話番号を表示させることを特徴とするものである。